【手続補正書】
【提出日】平成18年5月2日(2006.5.2)
【手続補正１】
【補正対象書類名】明細書
【補正対象項目名】特許請求の範囲
【補正方法】変更
【補正の内容】
【特許請求の範囲】
【請求項１】  複数の図柄が表示される図柄表示部を備えた図柄表示装置と、一連の図柄表示パターンに対応するコマンドを図柄表示装置へ発信する主制御装置とが設けられており、
図柄表示装置は、コマンドを記憶手段に格納するコマンド処理手段と、
記憶手段から取得したコマンドに基づいて図柄を図柄表示部に表示する表示処理手段とを含むとともに、前記主制御装置との間におけるコマンド通信においてエラーが生じた場合に、その旨を前記図柄表示部に表示することを特徴とする遊技機。
【請求項２】  図柄表示装置は、記憶手段に、エラー時における図柄表示部での表示図柄となるエラー図柄を格納しているとともに、主制御装置との間におけるコマンド通信においてエラーが生じた場合に、前記エラー図柄を前記記憶手段から引き出すためのエラーコマンドを生成するエラーコマンド生成手段を備えていることを特徴とする請求項１に記載の遊技機。
【請求項３】  コマンドは、所定条件の充足により、変動表示後に確定表示され、確定表示された種類により遊技者にとって価値のある特別遊技状態の生起の有無を報知する特別図柄に関するものであり、
変動表示される時間を指定する第１コマンド、確定表示される種類を指定する第２コマンド、確定表示の実行を指令する第３コマンド、のうちの少なくとも１つであることを特徴とする請求項１又は２に記載の遊技機。
【請求項４】  主制御装置と図柄表示装置との間で、少なくとも第１コマンドと第２コマンドとを通信する遊技機にあっては、
前記図柄表示装置がタイマを備えており、前記主制御装置から発信された第１コマンドを受信した後、所定時間内に第２コマンドを受信しなかった場合に、コマンド通信に係るエラーであると判断すること特徴とする請求項３に記載の遊技機。
【請求項５】  主制御装置と図柄表示装置との間で、少なくとも第１コマンドと第２コマンドとを通信する遊技機にあっては、
前記図柄表示装置が、第１コマンドを受信する前に第２コマンドを受信した場合に、コマンド通信に係るエラーであると判断することを特徴とする請求項３又は４に記載の遊技機。
【手続補正２】
【補正対象書類名】明細書
【補正対象項目名】００１２
【補正方法】変更
【補正の内容】
【００１２】
【課題を解決するための手段】
本発明のうち、請求項１に記載の発明は、複数の図柄が表示される図柄表示部を備えた図柄表示装置と、一連の図柄表示パターンに対応するコマンドを図柄表示装置へ発信する主制御装置とが設けられており、図柄表示装置は、コマンドを記憶手段に格納するコマンド処理手段と、記憶手段から取得したコマンドに基づいて図柄を図柄表示部に表示する表示処理手段とを含むとともに、前記主制御装置との間におけるコマンド通信においてエラーが生じた場合に、その旨を前記図柄表示部に表示することを特徴とする。
【手続補正３】
【補正対象書類名】明細書
【補正対象項目名】００１３
【補正方法】変更
【補正の内容】
【００１３】
また、請求項２に記載の発明は、請求項１に記載の発明において、図柄表示装置は、記憶手段に、エラー時における図柄表示部での表示図柄となるエラー図柄を格納しているとともに、主制御装置との間におけるコマンド通信においてエラーが生じた場合に、前記エラー図柄を前記記憶手段から引き出すためのエラーコマンドを生成するエラーコマンド生成手段を備えていることを特徴とする。
【手続補正４】
【補正対象書類名】明細書
【補正対象項目名】００１４
【補正方法】変更
【補正の内容】
【００１４】
更に、請求項３に記載の発明は、請求項１又は２に記載の発明において、コマンドは、所定条件の充足により、変動表示後に確定表示され、確定表示された種類により遊技者にとって価値のある特別遊技状態の生起の有無を報知する特別図柄に関するものであり、変動表示される時間を指定する第１コマンド、確定表示される種類を指定する第２コマンド、確定表示の実行を指令する第３コマンド、のうちの少なくとも１つであることを特徴とする。
【手続補正５】
【補正対象書類名】明細書
【補正対象項目名】００１５
【補正方法】変更
【補正の内容】
【００１５】
また更に、請求項４に記載の発明は、請求項３に記載の発明において、主制御装置と図柄表示装置との間で、少なくとも第１コマンドと第２コマンドとを通信する遊技機にあっては、前記図柄表示装置がタイマを備えており、前記主制御装置から発信された第１コマンドを受信した後、所定時間内に第２コマンドを受信しなかった場合に、コマンド通信に係るエラーであると判断すること特徴とする。
【手続補正６】
【補正対象書類名】明細書
【補正対象項目名】００１６
【補正方法】変更
【補正の内容】
【００１６】
加えて、請求項５に記載の発明は、請求項３又は４に記載の発明において、主制御装置と図柄表示装置との間で、少なくとも第１コマンドと第２コマンドとを通信する遊技機にあっては、前記図柄表示装置が、第１コマンドを受信する前に第２コマンドを受信した場合に、コマンド通信に係るエラーであると判断することを特徴とする。
【手続補正７】
【補正対象書類名】明細書
【補正対象項目名】００９２
【補正方法】変更
【補正の内容】
【００９２】
【発明の効果】
本発明のうち、請求項１に記載の発明は、遊技機の図柄表示装置が、主制御装置からのコマンドを記憶手段に格納するコマンド処理手段と、記憶手段から取得したコマンドに基づいて図柄を図柄表示部に表示させる図柄処理手段とを含むので、図柄を綺麗に表示し、割込みを割り出す基板による不正行為を防止し、処理能力の効率的な向上と専用記憶手段による表示データの増加を図り、多彩な演出を効率よく実行することができる、という効果を奏する。加えて、図柄表示装置は、主制御装置との間におけるコマンド通信においてエラーが生じた場合に、その旨を図柄表示部に表示するため、図柄表示部においてエラーの発生を的確に報知することができる、という効果を奏する。
【手続補正８】
【補正対象書類名】明細書
【補正対象項目名】００９３
【補正方法】変更
【補正の内容】
【００９３】
また、請求項２に記載の発明は、請求項１に記載の発明において、図柄表示装置が、記憶手段に、エラー時における図柄表示部での表示図柄となるエラー図柄を格納しているとともに、主制御装置との間におけるコマンド通信においてエラーが生じた場合に、エラー図柄を記憶手段から引き出すためのエラーコマンドを生成するエラーコマンド生成手段を備えているため、請求項１に記載の発明の効果に加えて、エラーが生じた際に、図柄表示装置にてエラー表示に係る対応をとることができる、という効果を奏する。
【手続補正９】
【補正対象書類名】明細書
【補正対象項目名】００９４
【補正方法】変更
【補正の内容】
【００９４】
更に、請求項３に記載の発明は、請求項１又は２に記載の発明において、コマンドを、特別図柄が変動表示される時間を指定する第１コマンド、確定表示の種類を指定する第２コマンド、確定表示の実行を指令する第３コマンドのうちの、少なくとも１つとしたので、請求項１又は２に記載の発明の効果に加えて、特別図柄につき斬新で多彩な演出を実行することができる、という効果を奏する。
【手続補正１０】
【補正対象書類名】明細書
【補正対象項目名】００９５
【補正方法】変更
【補正の内容】
【００９５】
また更に、請求項４に記載の発明は、請求項３に記載の発明において、主制御装置と図柄表示装置との間で、少なくとも第１コマンドと第２コマンドとを通信する遊技機にあっては、図柄表示装置がタイマを備えており、主制御装置から発信された第１コマンドを受信した後、所定時間内に第２コマンドを受信しなかった場合に、コマンド通信に係るエラーであると判断するため、請求項３に記載の発明の効果に加えて、第２コマンド不受信にもとづく事態、すなわち図柄表示部にて特別図柄が確定表示されることなく遊技が継続されるといった事態を回避することができる、という効果を奏する。
【手続補正１１】
【補正対象書類名】明細書
【補正対象項目名】００９６
【補正方法】変更
【補正の内容】
【００９６】
加えて、請求項５に記載の発明は、請求項３又は４に記載の発明において、主制御装置と図柄表示装置との間で、少なくとも第１コマンドと第２コマンドとを通信する遊技機にあっては、図柄表示装置が、第１コマンドを受信する前に第２コマンドを受信した場合に、コマンド通信に係るエラーであると判断するため、請求項３又は４に記載の発明に加えて、特別図柄の変動表示させることなく、エラー表示を行うことができ、第１コマンド不受信というエラーの発生を的確に報知することができる、という効果を奏する。